(57)【要約】【課題】操作性を向上できるコンソールドロワーを提供する。【解決手段】コンソールドロワーは、前端に取り付けられ、前方に倒すことができるフロントベースと、キーボードプレートとフロントベースとの間の位置にてマウスを収納する収納部と、キーボードプレートの幅方向の一端に収納部と隣接して設けられるケーブル収納部と、フロントベースをボトムプレートに開閉可能に接続する一対のヒンジと、を備える。一対のヒンジのうち少なくとも一方のヒンジが、ボトムプレートの側壁の外側に配置される。【選択図】図１
2018124936.tif 000002
【特許請求の範囲】
【請求項１】
キーボードを有するキーボードプレートと、
前記キーボードプレートの上に重ねられるディスプレイと、
前記キーボードプレート及び前記ディスプレイを収納し、棚に引出し可能に取り付けられるボトムプレートと、
前記ボトムプレートの前端に取り付けられ、前方に倒すことができるフロントベースと、
前記キーボードプレートと前記フロントベースとの間の位置にて前記キーボードプレートより下方に凹んで設けられ、マウスを収納する収納部と、
前記キーボードプレートの幅方向の一端に前記収納部と隣接して設けられ、前記マウスのケーブルを内部に収納すると共に、前記キーボードプレート及び前記フロントベースと同様の高さの上蓋を有するケーブル収納部と、
前記フロントベースを前記ボトムプレートに開閉可能に接続する一対のヒンジと、
を備え、
前記一対のヒンジのうち少なくとも一方のヒンジが、前記ボトムプレートの側壁の外側に配置される、
コンソールドロワー。
【請求項２】
前記収納部の少なくとも一部を塞ぎ、前記キーボードプレート及び前記フロントベースと同様の高さ位置の平面を設けるリストレストを備える、
請求項１に記載のコンソールドロワー。
【請求項３】
前記リストレストは、前記キーボードプレートに倒された前記ディスプレイの前端面と、前記フロントベースとの間の空間に収納される、
請求項２に記載のコンソールドロワー。
【請求項４】
前記リストレストは、上板と、前記上板の外縁に立設される側板と、を有し、
前記キーボードの使用時には、前記上板を上側として前記収納部に設置され、
前記マウスが前記収納部に収納される際には、前記上板を下側として前記収納部に設置される、
請求項２に記載のコンソールドロワー。
【請求項５】
前記リストレストは、前記キーボードプレートから出し入れ可能な板材であり、
前記キーボードの使用時には前記キーボードプレートから引き出されて前記収納部に配置され、
前記マウスが前記収納部に収納される際には、前記キーボードプレートの内部に入れ込まれ、前記マウスは、前記収納部に収納される、
請求項２に記載のコンソールドロワー。
【請求項６】
前記リストレストを前記キーボードプレートから前記収納部の方向に付勢する付勢手段を更に備える、請求項５に記載のコンソールドロワー。
【請求項７】
前記リストレストは、折り畳み可能に連結された複数の板材を有し、
前記キーボードの使用時には、前記収納部に複数の板材が並列配置され、
前記マウスが前記収納部に収納される際には、前記板材が折り畳まれて空いたスペースに前記マウスが収納される、
請求項２に記載のコンソールドロワー。
【請求項８】
キーボードを有するキーボードプレートと、
前記キーボードプレートの上に重ねられるディスプレイと、
前記キーボードプレート及び前記ディスプレイを収納し、棚に引出し可能に取り付けられるボトムプレートと、
前記ボトムプレートの前端に取り付けられ、前方に倒すことで前記キーボードプレートと同じ程度の高さの平面を形成するフロントベースと、
前記キーボードプレートと前記フロントベースとの間の位置にて前記キーボードプレートより下方に凹んで設けられ、マウスを収納する収納部と、
前記収納部の少なくとも一部を塞ぎ、前記キーボードプレート及び前記フロントベースと同様の高さの平面を設けるリストレストと、
を備える、
コンソールドロワー。
【発明の詳細な説明】
【技術分野】
【０００１】
本開示は、コンソールドロワーに関する。
【背景技術】
【０００２】
キーボードやマウス等の入力装置と、ディスプレイ等の出力装置とを一体化し、ラックに引き出し可能に取り付けられる引出し式のコンソールユニット（所謂コンソールドロワー）が知られている（例えば特許文献１参照）。コンソールドロワーは、ディスプレイを折り畳むと、棚構造体の単位棚区画に格納できる。なお、このような棚構造体の単位棚区画の高さは規格化されている。
【先行技術文献】
【特許文献】
【０００３】
【特許文献１】特開平９−５４６３１号公報
【発明の概要】
【発明が解決しようとする課題】
【０００４】
コンソールドロワーは、一体化する機器が増えるほど操作者の操作スペースの制約が大きくなり、操作性に影響が出る。このため、例えば特許文献１に記載されるように、コンソールを収容する筐体の前面板を使用時に前方に倒して、これによりキーボード手前側の操作スペースを増やすなどの試みが行われている。しかしながら、コンソールドロワーにおいては、より一層操作性の改善が求められている。
【０００５】
本開示は、操作性を向上できるコンソールドロワーを提供することを目的とする。
【課題を解決するための手段】
【０００６】
本開示に係るコンソールドロワーは、キーボードを有するキーボードプレートと、前記キーボードプレートの上に重ねられるディスプレイと、前記キーボードプレート及び前記ディスプレイを収納し、棚に引出し可能に取り付けられるボトムプレートと、前記ボトムプレートの前端に取り付けられ、前方に倒すことができるフロントベースと、前記キーボードプレートと前記フロントベースとの間の位置にて前記キーボードプレートより下方に凹んで設けられ、マウスを収納する収納部と、前記キーボードプレートの幅方向の一端に前記収納部と隣接して設けられ、前記マウスのケーブルを内部に収納すると共に、前記キーボードプレート及び前記フロントベースと同様の高さ位置の上蓋を有するケーブル収納部と、前記フロントベースを前記ボトムプレートに開閉可能に接続する一対のヒンジと、を備え、前記一対のヒンジのうち少なくとも前記一方のヒンジが、前記ボトムプレートの側壁の外側に配置される。
【発明の効果】
【０００７】
本開示によれば、操作性を向上できるコンソールドロワーを提供することができる。
【図面の簡単な説明】
【０００８】
【図１】第１実施形態に係るコンソールドロワーの外観を示す斜視図。
【図２】図１に示されるヒンジの分解斜視図。
【図３】フロントベースを倒した状態のヒンジの斜視図。
【図４】フロントベースを立てた状態のヒンジの斜視図。
【図５】第２実施形態に係るコンソールドロワーの使用時の外観を示す斜視図。
【図６】第２実施形態に係るコンソールドロワーの収納時の外観を示す斜視図。
【図７】第３実施形態に係るコンソールドロワーの使用時の外観を示す斜視図。
【図８】第３実施形態に係るコンソールドロワーの収納時の外観を示す斜視図。
【図９】第４実施形態に係るリストレストを上面側から視た斜視図。
【図１０】第４実施形態に係るリストレストを裏側から視た斜視図。
【図１１】第４実施形態に係るコンソールドロワーにおいて、マウスが収納部に収納された状態を示す斜視図。
【図１２】第５実施形態に係るリストレストの斜視図。
【図１３】第６実施形態に係るコンソールドロワー使用時のリストレストの斜視図。
【図１４】第６実施形態に係るコンソールドロワー収納時のリストレストの斜視図。
【図１５】第７実施形態に係るコンソールドロワー使用時のリストレストの斜視図。
【図１６】第７実施形態に係るリストレストを使用時から収納時の形状へ変形している状態を示す斜視図。
【図１７】第７実施形態に係るコンソールドロワー収納時のリストレストの斜視図。
【発明を実施するための形態】
【０００９】
以下、添付図面を参照しながら本実施形態について説明する。説明の理解を容易にするため、各図面において同一の構成要素に対しては可能な限り同一の符号を付して、重複する説明は省略する。
【００１０】
［第１実施形態］
図１〜図４を参照して第１実施形態を説明する。図１は第１実施形態に係るコンソールドロワー１の外観を示す斜視図である。コンソールドロワー１は、入力装置としてのキーボード２１と、出力装置としてのディスプレイ３とを、共通の筐体であるボトムプレート４に設置して構成される。コンソールドロワー１は、例えばサーバールームに設置されるラック等の、所定の搭載領域寸法を有する棚構造体（図示せず）の各棚に対して、ガイドレール１２を介して取り付けた状態で引出し式に出し入れできるものである。
【００１１】
以下では、コンソールドロワー１の各構成要素の形状や位置関係の説明の際に、相互に直交する３軸（ｘ軸、ｙ軸、ｚ軸）を基準とする。図１に示すように、ｘ軸正方向はコンソールドロワー１のラックからの引き出し方向であり、コンソールドロワー１の手前側である。ｘ軸負方向はコンソールドロワー１をラックへ収容する方向であり、コンソールドロワー１の奥側である。ｙ軸はコンソールドロワー１の幅方向であり、手前側から視たときの左側を正方向、右側を負方向としている。ｚ軸正方向はキーボードプレート２の上面側であり、ｚ軸負方向はボトムプレート４の底壁４１側である。例えば、ｚ軸が鉛直方向であり、ｚ軸正方向が鉛直上方、ｚ軸負方向が鉛直下方である。また、ｘ軸およびｙ軸がｚ軸に直交する水平方向である。
【００１２】
図１に示すように、コンソールドロワー１は、キーボードプレート２と、ディスプレイ３と、ボトムプレート４と、フロントベース５と、を備える。
【００１３】
キーボードプレート２は、その上面にキーボード２１とタッチパッド２２とを有し、ボトムプレート４の底壁４１の上に設置されている。
【００１４】
ディスプレイ３は、ＬＣＤ（液晶ディスプレイ）等の薄型表示素子を有し、キーボードプレート２の奥側でボトムプレート４の底壁４１に回動可能に設置されている。これにより、ディスプレイ３は、コンソールドロワー１の収納時には、ディスプレイ３をキーボード２１に向けて回動させることで、キーボードプレート２の上に重なるよう倒すことができる。なお、コンソールドロワー１の収納時には、ディスプレイ３の手前側の端面と、キーボードプレート２の手前側の端面とがｘ軸方向で重なるように、キーボードプレート２及びディスプレイ３の形状及び設置位置が定められている（図６参照）。
【００１５】
ボトムプレート４は、矩形状の底壁４１と、底壁４１の両端からｚ軸正方向に屈曲して立設される一対の側壁４２とを有する。側壁４２の高さは、ラックの規格単位高さ（１Ｕ＝４４．４５ｍｍ）の棚区画に格納可能な寸法がとられている。キーボードプレート２及びディスプレイ３は、ディスプレイ３をキーボードプレート２の上に倒して重ねたときに一対の側壁４２の間に配置され、かつ、重ねられたキーボードプレート２及びディスプレイ３の全体が側壁４２の上端より下に入るようにサイズが設定されており、ボトムプレート４は、キーボードプレート２及びディスプレイ３を収納可能に構成されている。また、側壁４２は、外側にてそれぞれガイドレール１２と連結され、ガイドレール１２に沿ってラックに対して摺動可能となっている。すなわち、ボトムプレート４は、ガイドレール１２によりラックに引出し可能に取り付けられている。
【００１６】
フロントベース５は、ボトムプレート４の前端に取り付けられる板状部材である。フロントベース５は側壁４２に回動可能に取り付けられ、コンソールドロワー１の収納時にはｚ軸正方向に立設してボトムプレート４の前端を塞ぐ閉状態となり（図４参照）、コンソールドロワー１の使用時には、前方に略９０度回転させて倒すことで、キーボードプレート２の上面と同じ程度の高さを持つ平面５１を形成する開状態となるよう構成されている。フロントベース５を可動とすることにより、コンソールドロワー１の使用時に、キーボードプレート２の上面と同じ程度の高さの平面を手前側に増やすことができるので、キーボード２１手前の操作スペースを拡大できる。
【００１７】
コンソールドロワー１は、ポインティングデバイスであるマウス１０を、例えばＵＳＢポートを介して接続することができる。本実施形態では、キーボードプレート２とフロントベース５との間の位置に、コンソールドロワー１の収納時にマウス１０を収納するための収納部６が設けられている。
【００１８】
収納部６は、キーボードプレート２の前端面と、フロントベース５と、一方の側壁４２と、後述するケーブル収納部７に囲まれた略矩形状の領域である。収納部６の底面はボトムプレートの底壁４１であり、収納部６は、キーボードプレート２の上面及びフロントベース５の平面５１より下方に凹んで設けられている。これにより、側壁４２の高さに収めることができるマウス１０の高さを大きくできる。
【００１９】
また、キーボードプレート２の一端（本実施形態では右端）には、収納部６と隣接してケーブル収納部７が設けられている。ケーブル収納部７は、上部に設けられる上蓋７１により区画されており、マウス１０が収納部６に収納された際にマウス１０のケーブル１１を巻回して内部に収納することができる。マウス１０を使用する際は、ケーブル１１は上蓋７１の孔部７２から収納部６側に引き出される。上蓋７１は、キーボードプレート２の上面及びフロントベース５の平面５１と同様の高さとなるように設けられており、コンソールドロワー１の使用時にはマウス１０の操作領域として利用できる。
【００２０】
本実施形態では、キーボードプレート２の前側の左側に収納部６が設けられ、右側にケーブル収納部７が収納部６と隣接して設けられている。
【００２１】
フロントベース５はその両端にて側壁４２と一対のヒンジ８，９により開閉可能に接続されている。このうち左側、すなわち収納部６側のヒンジ８が側壁４２の外側に配置されている。
【００２２】
図２は、図１に示されるヒンジ８の分解斜視図である。図３は、フロントベース５を倒した開状態のヒンジ８の斜視図である。図４は、フロントベース５を立てた閉状態のヒンジの斜視図である。
【００２３】
図２に示すように、ヒンジ８は、リンク８１と、ワッシャー８３と、ブッシュ８４と、ロゼットワッシャー８５と、皿コネジ８６と、ワッシャー８７と、ガイド用のピン８８と、フロントベース用のピン８９とを有する。ピン８９は、側壁４２の前端かつ下端にて内側に突出し、ワッシャー８７を通してフロントベース５の左側端面に回動可能に接続されている。フロントベース５はピン８９を中心として回動する。
【００２４】
リンク８１は長手形状の板部材であり、その一端がフロントベース５左側の端面に回動可能に接続され、他端には長手方向に延びるガイド８２が連通されている。図２〜図４に示すように、リンク８１が接続されるフロントベース５の端面は側壁４２より外側に位置しており、一方ピン８９が接続されるフロントベース５の端面は、側壁４２より内側に位置する。
【００２５】
ガイド８２側は側壁４２の外側に配置される。ピン８８は側壁４２を内側から外側へ貫通し、ワッシャー８３、ブッシュ８４、ガイド８２、ロゼットワッシャー８５の順で通してから皿コネジ８６により側壁４２に固定されている。
【００２６】
図３に示すようにフロントベース５が前方に倒される開状態のとき、フロントベース５は、リンク８１と、ガイド８２を貫通するピン８８とによって、これ以上下側に回動しないように支持されている。また、側壁４２の先端部４２Ａが斜めに切り欠かれているので（図２参照）、図４に示すように、フロントベース５が立てられボトムプレート４の前端を塞ぐ閉状態のとき、フロントベース５が側壁４２と干渉することを防止できる。また、フロントベース５の閉状態のとき、図４に示すようにリンク８１がピン８８より後方側に突き出る状態となるため、リンク８１と干渉しないようにガイドレール１２の先端が後方側にずらされている。
【００２７】
第１実施形態に係るコンソールドロワー１の効果を説明する。第１実施形態のコンソールドロワー１では、収納部６とケーブル収納部７とが、共にキーボードプレート２の前側に隣接して配置される。ケーブル収納部７にはコンソールドロワー１のＵＳＢポートが設けられており、マウスケーブル１１のＵＳＢ端子をコンソールドロワー１の前端部で接続できるので、コンソールドロワー１へのマウス１０の取り付け作業を容易にできる。また、収納部６がコンソールドロワー１の前端部にあるので、コンソールドロワー１の収納時におけるマウス１０の収納作業を容易にできる。また、ケーブル収納部７の上蓋７１はマウス１０の操作領域としても使われるが、収納部６とケーブル収納部７とが隣接して配置され、マウス１０の収納位置と使用位置とが近いので、コンソールドロワー１の使用開始時には収納部６に収納されているマウス１０を上蓋７１のマウス１０の使用位置へ簡易かつ迅速に移動させることができる。
【００２８】
ところで、本実施形態では、収納部６とケーブル収納部７とが共にキーボードプレート２の前側に隣接して配置され、ケーブル収納部７の上蓋７１はマウス１０の操作領域としても使われる。図示したコンソールドロワー１では、キーボードプレート２の前方領域の右側をマウス操作に利用している。また、図示したキーボード２１では、右側にテンキーが設けられている。そのため、本実施形態では、キーボード２１のホームポジションが左側に寄っている。
【００２９】
このとき、ボトムプレート４とフロントベース５とを連結するヒンジ８、９がボトムプレート４の内側に設置されていると、操作者がキーボード２１を使用する際に、操作者の腕、ホームポジションが左に寄っていることから特に左腕がヒンジ８と接触しやすく、操作者に不快感を与える可能性がある。また、キーボード操作中にヒンジ８が邪魔となり、操作への集中力を削がれるなど操作性に影響が出る可能性もある。
【００３０】
これに対して、第１実施形態のコンソールドロワー１では、上述のとおり、一対のヒンジ８，９のうち、左側のヒンジ８がボトムプレート４の側壁４２の外側に配置されるので、操作者がキーボード２１を使用する際に操作者の腕がヒンジ８に接触することを防止でき、操作性を向上できる。
【００３１】
なお、第１実施形態では、一対のヒンジ８，９のうち右側、すなわちケーブル収納部７側のヒンジ９は、ヒンジ８とは異なりボトムプレート４の側壁４２の内側に配置されている。しかし、右側のヒンジ９も左側のヒンジ８と同様にボトムプレート４の側壁４２の外側に配置する構成とすることもできる。
【００３２】
［第２実施形態］
図５及び図６を参照して第２実施形態を説明する。図５は、第２実施形態に係るコンソールドロワー１Ａの使用時の外観を示す斜視図である。図６はコンソールドロワー１Ａの収納時の外観を示す斜視図である。
【００３３】
図５に示すように、第２実施形態のコンソールドロワー１Ａは、リストレスト２０を備える。リストレスト２０は、キーボード２１の使用時に収納部６を塞ぎ、キーボードプレート２の上面及びフロントベース５の平面５１と同様の高さを持つ平面を設けるための部材である。リストレスト２０は、キーボード２１の手前に配置され操作者の手首や腕を乗せるためのものであり、キーボード２１の入力操作の際の手や腕にかかる負担を軽減することができる。
【００３４】
リストレスト２０は、収納部６の全体を塞ぐ板材である。リストレスト２０の上面側から視た形状は、基本的には収納部６と同様の矩形であり、これにより収納部６の全体を塞ぐことができる。リストレスト２０の一つの角部には切欠きが設けられ、収納部６に嵌めこまれたリストレスト２０を容易に取り出せるよう構成される。また、リストレスト２０の厚さは収納部６の深さと同等であり、これにより収納部６にリストレスト２０を嵌めこんだ際に、リストレスト２０の上面がキーボードプレート２の上面及びフロントベース５の平面５１と同程度の高さの平面となるよう構成される。リストレスト２０の材質は、例えば樹脂、金属、シリコンゴム等である。
【００３５】
このように、コンソールドロワー１Ａの使用時にリストレスト２０を収納部６に挿入する構成とすることで、キーボードプレート２の上面及びフロントベース５の平面５１と収納部６との間の段差を無くすことができ、キーボード２１より前方の領域を一連の平面とすることができるので、操作者がキーボード２１を使用する際の操作性をさらに向上できる。
【００３６】
また、図６に示すように、マウス１０が収納部６に収納される際には、リストレスト２０はケーブル収納部７の上蓋７１と、倒されたディスプレイ３の前端面と、立てられた閉状態のフロントベース５（図６では図示の便宜上、フロントベース５は開状態で示されている）との間の空間に収納される。上述のとおり、コンソールドロワー１Ａの収納時には、図６に示すように、ディスプレイ３の前端面と、キーボードプレート２の前端面とが重なる。また、ディスプレイ３の前端面とフロントベース５との間の長さは、収納部６の前後方向の長さにほぼ等しい。したがって、コンソールドロワー１Ａの収納時にも、ディスプレイ３とフロントベース５との間の空間にリストレスト２０を収納できる。
【００３７】
なお、リストレスト２０は、必ずしも収納部６の全体を塞ぐ形状でなくてもよく、収納部６の幅方向の少なくとも一部を塞ぐ形状であればよい。
【００３８】
［第３実施形態］
図７及び図８を参照して第３実施形態を説明する。図７は、第３実施形態に係るコンソールドロワー１Ｂの使用時の外観を示す斜視図である。図８はコンソールドロワー１Ｂの収納時の外観を示す斜視図である。
【００３９】
図７に示すように、第３実施形態のコンソールドロワー１Ｂでは、リストレスト１２０が収納部６の全体を塞ぐ形状ではない。リストレスト１２０は、収納部６のうちマウス１０を収納する際に必要な収納スペースを除く部分を埋める板材である。図７では、リストレスト１２０の形状は、奥行きの寸法が収納部６の奥行きと同等であり、幅が収納部６の幅より短い略矩形状である。リストレスト１２０は、コンソールドロワー１Ｂの使用時には収納部６の左端に配置され、これにより特に操作者の左腕の下を平坦状にできるよう構成される。
【００４０】
また、図８に示すように、マウス１０が収納部６に収納される際には、リストレスト１２０は、収納部６にマウスと共に収納される。より詳細には、リストレスト１２０は、コンソールドロワー１Ｂの使用時に配置される左端位置から、ケーブル収納部７側の右端の位置に移動して配置される。これに応じて、マウス１０は、収納部６の側壁４２の側の左端に設けられた収納スペースに収納される。
【００４１】
第３実施形態のコンソールドロワー１Ｂも、リストレスト１２０によってキーボード２１の使用時に収納部６の一部を塞ぐことができる。
【００４２】
なお、リストレスト１２０の形状及び配置は、マウス１０の収納スペースを確保できればよく、例えばリストレスト１２０を収納部６の左端に固定する構成としてもよい。この場合、コンソールドロワー１Ｂの収納時には、マウス１０は収納部６の右側（ケーブル収納部７側）に設けられるスペース（図７参照）に収納される。同様に、リストレスト１２０を収納部６の右端や中央に固定する構成としてもよい。
【００４３】
［第４実施形態］
図９〜図１１を参照して第４実施形態を説明する。図９は、第４実施形態に係るリストレスト２２０を上側から視た斜視図である。図１０は、リストレスト２２０を裏側から視た斜視図である。図１１は、第４実施形態に係るコンソールドロワー１Ｃにおいて、マウスが収納部に収納された状態を示す斜視図である。
【００４４】
図９及び図１０に示すように、第４実施形態に係るコンソールドロワー１Ｃでは、リストレスト２２０の形状が有底の箱状である。リストレスト２２０は、収納部６と同様の矩形状であり、かつ収納部６の深さより薄い板材である上板２２１と、上板２２１の外縁に立設される側板２２２とを有する。側板２２２の高さは、第２実施形態のリストレスト２０の板厚や収納部６の深さと同様である。また、リストレスト２２０は、図１０に示すように、上板２２１と側板２２２により形成される空隙２２３を有する。
【００４５】
リストレスト２２０は、キーボード２１の使用時、すなわちコンソールドロワー１Ｃの使用時には、図９に示す上板２２１を上側とした状態で収納部６に設置される。この状態のコンソールドロワー１Ｃの外観は図５と同様であり、リストレスト２２０の上板２２１がキーボードプレート２の上面及びフロントベース５の平面５１と同じ程度の高さを有する平面となる。
【００４６】
また、図１０及び図１１に示すように、マウス１０が収納部６に収納される際には、リストレスト２２０は、上板２２１が下側となるように収納部６に設置される。マウス１０は、リストレスト２２０の空隙２２３に収納される。
【００４７】
第４実施形態のコンソールドロワー１Ｃも、リストレスト２２０によってキーボード２１の使用時に収納部６の全体を塞ぐことができる。
【００４８】
なお、リストレスト２２０の上板２２１の形状は、必ずしも収納部６と同じ矩形状でなくてもよく、少なくともマウス１０を収納する際に必要なスペースより大きい形状であって、空隙２２３にマウス１０を収納できる形状であればよい。
【００４９】
［第５実施形態］
図１２を参照して第５実施形態を説明する。図１２は、第５実施形態に係るリストレスト３２０の斜視図である。
【００５０】
図１２に示すように、第５実施形態に係るコンソールドロワー１Ｄでは、リストレスト３２０がキーボードプレート２から前後方向に出し入れ可能な板材である。
【００５１】
リストレスト３２０の本体部３２１は、キーボードプレート２の内部に設置されるガイド３２２に沿って、図１２に矢印Ａ，Ｂで示す前後方向に水平移動可能に設置されている。本体部３２１は、キーボード２１の使用時、すなわちコンソールドロワー１Ｄの使用時には、図１２に矢印Ａで示すようにキーボードプレート２から引き出されて収納部６に配置される。また、マウス１０が収納部６に収納される際には、図１２に矢印Ｂで示すようにキーボードプレート２の内部に入れ込まれる。
【００５２】
また、本体部３２１は、キーボードプレート２の内部に設置されるバネ３２３（付勢手段）によって、図１２に矢印Ａで示す方向に付勢されている。これにより、本体部３２１は、マウス１０が収納部６に収納される際にはバネ３２３の付勢力によってマウス１０をフロントベース５との間で挟持して、マウス１０を収納部６に固定させることができる。
【００５３】
さらに、本体部３２１のマウス１０との接触部分には、スポンジ等の衝撃吸収材３２４が設置されている。これにより、本体部３２１による押圧によってマウス１０が傷つくのを防止することができる。
【００５４】
第５実施形態のコンソールドロワー１Ｄも、リストレスト３２０によってキーボード２１の使用時に収納部６の一部を塞ぐことができる。
【００５５】
なお、リストレスト３２０は、バネ３２３を設けずに手動によって本体部３２１をキーボードプレート２から出し入れする構成としてもよい。また、本体部３２１に衝撃吸収材３２４を設置しない構成としてもよい。
【００５６】
［第６実施形態］
図１３及び図１４を参照して第６実施形態を説明する。図１３は第６実施形態に係るコンソールドロワー１Ｅ使用時のリストレスト４２０の斜視図である。図１４は、コンソールドロワー１Ｅ収納時のリストレスト４２０の斜視図である。
【００５７】
図１３及び図１４に示すように、第６実施形態に係るリストレスト４２０は、回転軸４２２まわりにｘ平面内で回動してキーボードプレート２の前端部から出し入れ可能な板材である。
【００５８】
リストレスト４２０の本体部４２１は、キーボード２１の使用時、すなわちコンソールドロワー１Ｅの使用時には、図１３に矢印Ｃで示すように、回転軸４２２まわりに回動してキーボードプレート２から引き出されて収納部６に配置される。また、マウス１０が収納部６に収納される際には、図１４に矢印Ｄで示すように、回転軸４２２まわりに回動してキーボードプレート２の内部に入れ込まれる。
【００５９】
また、本体部４２１は、回転軸４２２に設置されるバネ４２３（付勢手段）によって、図１４に矢印Ｃで示すキーボードプレート２から収納部６の方向に付勢されている。これにより、本体部４２１は、マウス１０が収納部６に収納される際にバネ４２３の付勢力によってマウス１０をフロントベース５との間で挟持して、マウス１０を収納部６に固定させることができる。
【００６０】
さらに、本体部４２１のマウス１０との接触部分には、スポンジ等の衝撃吸収材４２４が設置されている。これにより、本体部４２１による押圧によってマウス１０が傷つくのを防止する。
【００６１】
第６実施形態のコンソールドロワー１Ｅも、本体部４２１によってキーボード２１の使用時に収納部６の一部を塞ぐことができる。
【００６２】
なお、リストレスト４２０は、バネ４２３を設けずに手動によって本体部４２１をキーボードプレート２から出し入れする構成としてもよい。また、本体部４２１に衝撃吸収材４２４を設置しない構成としてもよい。また、図１３及び図１４には本体部４２１が回転軸４２２を中心とする扇形状となる構成を例示したが、回動によってキーボードプレート２から出し入れ可能であれば本体部４２１は他の形状でもよい。
【００６３】
［第７実施形態］
図１５〜図１７を参照して第７実施形態を説明する。図１５は第７実施形態に係るコンソールドロワー１Ｆ使用時のリストレスト５２０を示す斜視図である。図１６はリストレスト５２０を使用時から収納時の形状へ変形している状態を示す斜視図である。図１７は、コンソールドロワー１Ｆ収納時のリストレスト５２０の斜視図である。
【００６４】
図１５〜図１７に示すように、第７実施形態に係るリストレスト５２０は、相互に連結され折り畳み可能な２つの板材である。
【００６５】
図１５に示すように、リストレスト５２０は、可動板５２１及び固定板５２２の２つの板材と、可動板５２１と固定板５２２とを連結するヒンジ５２３とを有する。可動板５２１及び固定板５２２は、共に収納部６の約半分の大きさを有する矩形状であり、ヒンジ５２３によって、図１５に示す並列配置の状態と、図１７に示す折り畳み状態とに変形することができる。
【００６６】
図１５に示すように、キーボード２１の使用時には、リストレスト５２０は、収納部６上に可動板５２１及び固定板５２２が並列配置される。また、マウス１０が収納部６に収納される際には、図１６に矢印Ｅで示すようにヒンジ５２３を回転中心として可動板５２１を固定板５２２側に回動させることで、図１７に示すように可動板５２１が固定板５２２の上に重なって折り畳まれる。この変形によって空いた収納部６のスペースにマウス１０が収納される。
【００６７】
第７実施形態のコンソールドロワー１Ｆも、リストレスト５２０の可動板５２１及び固定板５２２によってキーボード２１の使用時に収納部６を塞ぐことができる。
【００６８】
なお、リストレスト５２０は、３枚以上の板材が折り畳み可能に連結される構成であってもよい。
【００６９】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００７０】
上記第２〜第７実施形態のリストレスト２０，１２０，２２０，３２０，４２０，５２０は、第１実施形態に示したヒンジ８，９をボトムプレート４の側壁４２の外側に配置する構成の他にも、ヒンジ８，９をボトムプレート４の側壁４２の内側に配置する構成のコンソールドロワーにも適用できる。
【符号の説明】
【００７１】
１，１Ａ，１Ｂ，１Ｃ，１Ｄ，１Ｅ，１Ｆ    コンソールドロワー
２    キーボードプレート
２１    キーボード
３    ディスプレイ
４    ボトムプレート
４２    側壁
５    フロントベース
６    収納部
７    ケーブル収納部
７１    上蓋
８，９    ヒンジ
１０    マウス
１１    ケーブル
２０，１２０，２２０，３２０，４２０，５２０    リストレスト
２２１    上板
２２２    側板
２２３    空隙
３２３，４２３    バネ（付勢手段）
３２４，４２４    衝撃吸収材
【図１】
2018124936.tif 000003
【図２】
2018124936.tif 000004
【図３】
2018124936.tif 000005
【図４】
2018124936.tif 000006
【図５】
2018124936.tif 000007
【図６】
2018124936.tif 000008
【図７】
2018124936.tif 000009
【図８】
2018124936.tif 000010
【図９】
2018124936.tif 000011
【図１０】
2018124936.tif 000012
【図１１】
2018124936.tif 000013
【図１２】
2018124936.tif 000014
【図１３】
2018124936.tif 000015
【図１４】
2018124936.tif 000016
【図１５】
2018124936.tif 000017
【図１６】
2018124936.tif 000018
【図１７】
2018124936.tif 000019